(57)【要約】【課題】排水口の開閉及び排水流量の変更を容易に行うことができる排水栓装置を提供する。【解決手段】排水栓装置は、排水口１１を形成する排水口部材１０と、前記排水口１１を閉鎖する閉鎖位置と、前記排水口１１を開放して単位時間あたりの排水量が異なる複数の開放位置との間を移動する排水栓３０と、複数の前記開放位置に前記排水栓３０を保持する保持機構と、を備えている。【選択図】図２
2018040176.tif 000002
【特許請求の範囲】
【請求項１】
排水口を形成する排水口部材と、
前記排水口を閉鎖する閉鎖位置と、前記排水口を開放して単位時間あたりの排水量が異なる複数の開放位置との間を移動する排水栓と、
複数の前記開放位置に前記排水栓を保持する保持機構と、
を備えていることを特徴とする排水栓装置。
【請求項２】
軸方向に進退することによって前記排水栓を移動させる索状物と、
前記索状物を軸方向に進退させる操作部と、
を備えており、
前記保持機構は前記操作部から前記排水栓までの間に組み込まれていることを特徴とする請求項１記載の排水栓装置。
【請求項３】
前記保持機構は、排水口部材又は前記排水栓の一方に設けられた係止部と、他方に設けられた被係止部とによって構成されていることを特徴とする請求項１記載の排水栓装置。
【発明の詳細な説明】
【技術分野】
【０００１】
本発明は排水栓装置に関するものである。
【背景技術】
【０００２】
特許文献１は従来の排水栓装置を開示している。この排水栓装置は、排水栓、排水口部材、及び目皿を備えている。排水栓は排水口部材に形成された排水口を開閉する。排水口部材は、円形状の排水口と、排水口に連続した排水路とを形成している。また、排水口部材は排水路の途中に設けられた十字形状のリブを有している。目皿は、円盤形状であり、４個の円形状の貫通孔が形成されている。目皿は、排水路のリブ上に着脱自在に載置することができる。このため、この排水栓装置は、排水口部材の排水路のリブ上に目皿を載置すると、排水路を流れて排水される単位時間当たりの排水量（以下、排水流量という。）がリブ上に目皿を載置しない場合に比べて少なくすることができる。
【先行技術文献】
【特許文献】
【０００３】
【特許文献１】実開昭６４−４１８６号公報
【発明の概要】
【発明が解決しようとする課題】
【０００４】
しかし、特許文献１の排水栓装置を利用して排水流量を変更しようとすると、その都度、目皿を排水口部材の排水路から着脱する手間を要する。また、この排水栓装置は目皿が排水口を開閉する排水栓と別体である。このため、この排水栓装置において、排水口の開閉と排水流量の変更とは別々の異なった操作になる。
【０００５】
本発明は、上記従来の実情に鑑みてなされたものであって、排水口の開閉及び排水流量の変更を容易に行うことができる排水栓装置を提供することを解決すべき課題としている。
【課題を解決するための手段】
【０００６】
本発明の排水栓装置は、
排水口を形成する排水口部材と、
前記排水口を閉鎖する閉鎖位置と、前記排水口を開放して単位時間あたりの排水量が異なる複数の開放位置との間を移動する排水栓と、
複数の前記開放位置に前記排水栓を保持する保持機構と、
を備えていることを特徴とする。
【０００７】
この排水栓装置は排水栓が排水口を閉鎖する閉鎖位置と排水流量（単位時間当たりの排水量）が異なる複数の開放位置との間を移動する。このため、この排水栓装置は、排水栓を操作するのみで、排水口の開閉及び排水流量の変更を行うことができる。
【０００８】
したがって、本発明の排水栓装置は排水口の開閉及び排水流量の変更を容易に行うことができる。
【０００９】
また、この排水栓装置は、複数の開放位置に排水栓を保持する保持機構を備えているため、排水している際に水圧等の影響によって排水栓が移動して排水流量が変化してしまうことを防止することができる。
【図面の簡単な説明】
【００１０】
【図１】実施例１の排水栓装置が取り付けられた浴槽の要部断面図である。
【図２】実施例１の排水栓装置において、排水栓が閉鎖位置にある状態を示す概略図である。
【図３】実施例１の排水栓装置において、排水栓が閉鎖位置から第１開放位置に移動して保持される際の保持機構の動きを説明する展開図であって、（Ａ）は排水栓が閉鎖位置に保持された際の保持機構の状態を示し、（Ｂ）は操作ボタンを押し下げた際の保持機構の状態を示し、（Ｃ）は排水栓が第１開放位置に保持された際の保持機構の状態を示す。
【図４】実施例１の排水栓装置において、排水栓が第１開放位置に保持された状態を示す概略図である。
【図５】実施例１の排水栓装置において、排水栓が第１開放位置に保持された状態から第２開放位置に移動して保持される際の保持機構の動きを説明する展開図であって、（Ａ）は排水栓が第１開放位置に保持された際の保持機構の状態を示し、（Ｂ）は操作ボタンを押し下げて排水栓が第２開放位置に保持された際の保持機構の状態を示す。
【図６】実施例１の排水栓装置において、排水栓が第２開放位置（全開位置）に保持された状態を示す概略図である。
【図７】実施例１の排水栓装置において、排水栓が第２開放位置に保持された状態から閉鎖位置に移動する際の保持機構の動きを説明する展開図であって、（Ａ）は排水栓が第２開放位置に保持された際の保持機構の状態を示し、（Ｂ）は操作ボタンを押し下げた際の保持機構の状態を示し、（Ｃ）は排水栓が閉鎖位置に保持された際の保持機構の状態を示す。
【図８】実施例２の排水栓装置において、（Ａ）は排水栓が閉鎖位置にある状態、（Ｂ）は排水栓が第１開放位置に保持された状態、（Ｃ）は排水栓が第２開放位置に保持された状態を示す概略図である。
【図９】実施例３の排水栓装置において排水栓が閉鎖位置にある状態を示す断面図である。
【図１０】実施例３の排水栓装置において排水栓が第１開放位置に保持された状態を示す断面図である。
【図１１】実施例３の排水栓装置において排水栓が第２開放位置に保持された状態を示す断面図である。
【図１２】実施例４の排水栓装置の排水口部材と排水栓とを示す斜視図である。
【図１３】実施例４の排水栓装置において排水栓が閉鎖位置にある状態を示す断面図である。
【図１４】実施例４の排水栓装置において排水栓が第１開放位置に保持された状態を示す断面図である。
【図１５】実施例４の排水栓装置において排水栓が第２開放位置に保持された状態を示す断面図である。
【発明を実施するための形態】
【００１１】
本発明における好ましい実施の形態を説明する。
【００１２】
本発明の排水栓装置は、軸方向に進退することによって前記排水栓を移動させる索状物と、前記索状物を軸方向に進退させる操作部とを備えており、前記保持機構は前記操作部から前記排水栓までの間に組み込まれ得る。この場合、操作部を操作し易い位置に配置し、保持機構を適切な部分に組み込んで排水口の開閉及び排水流量の変更を遠隔操作することができる。
【００１３】
本発明の排水栓装置において、前記保持機構は、排水口部材又は前記排水栓の一方に設けられた係止部と、他方に設けられた被係止部とによって構成され得る。この場合、簡易な構成で排水口の開閉及び排水流量の変更を行うことができる。
【００１４】
次に、本発明の排水栓装置を具体化した実施例１〜４について、図面を参照しつつ説明する。
【００１５】
＜実施例１＞
実施例１の排水栓装置は、図１及び図２に示すように、排水口部材１０、排水栓３０、索状物であるワイヤ５０、及び保持機構が組み込まれた操作部７０を備えている。この排水栓装置は浴槽１に取り付けられる。排水口部材１０は、浴槽１の底面１Ａに貫設された開口２に取り付けられ、排水口１１を形成している。排水口１１は上方から見た平面視形状が円形である。排水口部材１０は、浴槽１の底面１Ａに貫設された開口２に浴槽１内から挿入した際に、開口２の周縁部に係止する鍔部１３を有している。また、排水口部材１０は、後述する排水栓３０の軸部３３が挿通し、排水栓３０の上下動を案内するガイド部１５を有している。ここで、上下は、図１に示すように、浴槽１に排水栓装置を取り付けた状態における上下である（以下同じ）。
【００１６】
排水栓３０は、図１及び図２に示すように、蓋部３１と軸部３３とを有している。蓋部３１は、上面が上方に膨らんだ湾曲面で形成され、下面が水平面上に拡がる平面で形成された円盤形状である。蓋部３１の外径は排水口１１の内径よりも大きい。蓋部３１は下降して排水口部材１０の鍔部１３に当接する下面に図示しない円環形状のパッキンが固定されている。パッキンは、排水栓３０が閉鎖位置に位置すると、排水口部材１０の鍔部１３の上面に当接して水密性を確保する。軸部３３は、蓋部３１の下面の中央部に上端部が連結され、直線状に下方に伸びた円柱形状である。軸部３３は排水口部材１０のガイド部１５に上下動自在に挿通されている。ワイヤ５０は、一方の端部が排水栓３０の軸部３３の下端に当接し、他方の端部が後述する保持機構の回転子７４の回転軸部７４Ｂの下端面の中央部に連結している。
【００１７】
保持機構が組み込まれた操作部７０は、図２に示すように、ケース７１、操作ボタン７２、ノック棒７３、回転子７４、４つの係止部材７５、及びコイルばね７６を有している。操作部７０は、操作ボタン７２が浴槽１のフランジ部１Ｂに貫設された貫通孔を挿通するように、浴槽１の上部に固定されている。ケース７１は上下方向に伸びる円筒形状である。ケース７１は上貫通孔７１Ａが形成された上面部７１Ｕを有している。上貫通孔７１Ａは後述するノック棒７３の操作軸部７３Ａを挿通している。また、ケース７１は下貫通孔７１Ｂが形成された下面部７１Ｓを有している。下貫通孔７１Ｂはワイヤ５０を挿通している。
【００１８】
操作ボタン７２は上面と下面が水平面上に拡がる平面で形成された円盤形状である。ノック棒７３は操作軸部７３Ａとカム部７３Ｂとを有している。操作軸部７３Ａは操作ボタン７２の下面の中央部に上端が連続して上下方向に伸びた円柱形状である。操作軸部７３Ａは、ケース７１の上貫通孔７１Ａを挿通し、上下方向に往復移動自在である。カム部７３Ｂは、操作軸部７３Ａの下端に連続し、操作軸部７３Ａの中心軸を中心にした円盤形状である。カム部７３Ｂは、外径が操作軸部７３Ａの外径よりも大きく、ケース７１の内径よりも小さい。また、カム部７３Ｂは、下面の外周部に形成され、側面視が三角波形状の下向き凸部７３Ｃを有している。カム部７３Ｂは上下方向に往復移動自在にケース７１内に収納されている。
【００１９】
回転子７４は回転子本体７４Ａと回転軸部７４Ｂとを有している。回転子本体７４Ａはカム部７３Ｂと略等しい外径である円盤形状である。回転子本体７４Ａは上面及び下面が平面である。回転子本体７４Ａは、図２及び図３に示すように、回転子本体７４Ａの上面よりも上方向に突出し、回転子本体７４Ａの側面よりも外方向に突出した４個のカム突起７７を有している。各カム突起７７は上下方向に伸びて突出している。各カム突起７７は回転子本体７４Ａの外周に同一間隔で設けられている。各カム突起７７は、回転子本体７４Ａの上面よりも上方に突出した上面７７Ａがカム部７３Ｂの下向き凸部７３Ｃの一方向（図２及び図３において左上方向）に傾斜した傾斜面７３Ｄに当接するように、下向き凸部７３Ｃの一方向に傾斜した傾斜面７３Ｄの傾斜角度と同じ傾斜角度、且つ同一方向（図２及び図３において左上方向）に傾斜している。各カム突起７７は左右幅が後述する係止部材７５の第１ガイド溝８０Ａ、第２ガイド溝８０Ｂ、第１係止部７５Ａ、及び第２係止部７５Ｂの左右幅よりも小さい。回転軸部７４Ｂは回転子本体７４Ａの下面の中央部に上端が連続して上下方向に伸びた円柱形状である。この回転子７４は、中心軸周りを回転自在であり、上下方向に往復移動自在にケース７１内に収納されている。また、この回転子７４は回転軸部７４Ｂの下端面の中央部にワイヤ５０の他方の端部を連結している。ワイヤ５０は、ケース７１の下貫通孔７１Ｂを挿通し、進退自在にケース７１から外側へ延びている。
【００２０】
各係止部材７５は、図２及び図３に示すように、回転子本体７４Ａのカム突起７７が上下方向に往復移動するための第１ガイド溝８０Ａを各係止部材７５の間に形成しつつ、ケース７１の上部内周面に沿って並んで設けられている。各係止部材７５は、回転子本体７４Ａのカム突起７７が係止する第１係止部７５Ａ及び第２係止部７５Ｂを有している。各係止部材７５の第１係止部７５Ａは各係止部材７５の下端から各係止部材７５の上下方向の中間部まで切り欠かれて形成された第２ガイド溝８０Ｂの上端に形成されている。各係止部材７５の第１係止部７５Ａは回転子本体７４Ａのカム突起７７の上面７７Ａと同じ傾斜角度、且つ同一方向（図２及び図３において左上方向）に傾斜している。第１ガイド溝８０Ａと第２ガイド溝８０Ｂとの間で下方に延びている第１境界部８１の下面８１Ａは第１係止部７５Ａと同じ傾斜角度、且つ同一方向（図２及び図３において左上方向）に傾斜している。各係止部材７５の第２係止部７５Ｂは、第２ガイド溝８０Ｂの第１ガイド溝８０Ａとは反対側の下端縁に連続して形成されており、第１係止部７５Ａと同じ傾斜角度、且つ同一方向（図２及び図３において左上方向）に傾斜している。各係止部材７５は、第２係止部７５Ｂと第１ガイド溝８０Ａとの間に、第２係止部７５Ｂよりも下方に突出し、下面８２Ａが第２係止部７５Ｂと同じ傾斜角度、且つ同一方向（図２及び図３において左上方向）に傾斜した第２境界部８２を有している。この排水栓装置は、ノック棒７３、回転子７４、及び各係止部材７５が保持機構を構成している。
【００２１】
コイルばね７６は、図２に示すように、回転子７４の回転軸部７４Ｂよりも外側であって、回転子本体７４Ａの下面とケース７１の下面部７１Ｓの上面との間に配置されている。コイルばね７６は、回転子７４、ノック棒７３、及び操作ボタン７２に対して、上方向に弾性力を付与している、
【００２２】
このような構成を有する排水栓装置は、排水栓３０が閉鎖位置にある状態（図２参照）でコイルばね７６の弾性力に対抗して操作ボタン７２を押し下げると、ノック棒７３が下降するとともに回転子７４が下降する。この際、回転子本体７４Ａのカム突起７７が第１ガイド溝８０Ａを第１境界部８１側の側面に沿って下降する（図３（Ａ），（Ｂ）参照）。回転子本体７４Ａが下降し、カム突起７７の上面７７Ａが第１境界部８１の下面８１Ａに連続する位置になると、コイルばね７６の弾性力によって、回転子７４が回転しながらカム突起７７が第１境界部８１の下面８１Ａに沿ってスライドする（図３（Ｂ）参照）。そして、コイルばね７６の弾性力によって、さらに回転子７４が回転しながらカム突起７７が第２ガイド溝８０Ｂに嵌まり込み、第１係止部７５Ａにカム突起７７が係止する（図３（Ｃ）参照）。この状態で、ワイヤ５０は、排水栓３０が閉鎖位置にある状態に比べて、ケース７１から外方向に送り出され、図４に示すように、排水栓３０が中間高さに位置して開弁した第１開放位置に保持される。つまり、カム突起７７が第１係止部７５Ａに係止しているため、ワイヤ５０がケース７１内に引き込まれず、排水栓３０が第１開放位置から下方に移動することができない状態に保持される。排水栓３０が第１開放位置に保持された状態における排水流量は、後述する排水栓３０が第２開放位置に保持された状態における排水流量よりも少ない。
【００２３】
この排水栓装置は、排水栓３０が第１開放位置にある状態（図４参照）でコイルばね７６の弾性力に対抗して操作ボタン７２を押し下げると、ノック棒７３が下降するとともに回転子７４が下降する。この際、回転子本体７４Ａのカム突起７７が第２ガイド溝８０Ｂを第２係止部７５Ｂ側の側面に沿って下降する（図５（Ａ），（Ｂ）参照）。回転子本体７４Ａが下降し、カム突起７７の上面７７Ａが第２係止部７５Ｂに連続する位置になる（図５（Ｂ）参照）と、コイルばね７６の弾性力によって、回転子７４が回転しながらカム突起７７が第２係止部７５Ｂに沿ってスライドし、第２係止部７５Ｂにカム突起７７が係止する（図５（Ｂ）参照）。この状態で、ワイヤ５０は排水栓３０が第１開放位置にある状態に比べて、ケース７１から外方向に送り出され、図６に示すように、排水栓３０が最も高い高さに位置して開弁した第２開放位置（全開位置）に保持される。つまり、カム突起７７が第２係止部７５Ｂに係止しているため、ワイヤ５０がケース７１内に引き込まれず、排水栓３０が第２開放位置（全開位置）から下方に移動することができない状態に保持される。
【００２４】
この排水栓３０は、排水栓３０が第２開放位置（全開位置）にある状態（図６参照）でコイルばね７６の弾性力に対抗して操作ボタン７２を押し下げると、ノック棒７３が下降するとともに回転子７４が下降する。この際、回転子本体７４Ａのカム突起７７が第２係止部７５Ｂの第２境界部８２側の側面に沿って下降する（図７（Ａ），（Ｂ）参照）。回転子本体７４Ａが下降し、カム突起７７の上面７７Ａが第２境界部８２の下面８２Ａに連続する位置になると、コイルばね７６の弾性力によって、回転子７４が回転しながらカム突起７７が第２境界部８２の下面８２Ａに沿ってスライドする（図７（Ｂ）参照）。そして、コイルばね７６の弾性力によって、さらに回転子７４が回転しながらカム突起７７が第１ガイド溝８０Ａに嵌まり込み、第１ガイド溝８０Ａを上昇する（図７（Ｃ）参照）。この状態で、ワイヤ５０は、ケース７１に引き込まれ、図２に示すように、排水栓３０が閉鎖位置になる。
【００２５】
このように、この排水栓装置は、操作ボタン７２を押し下げる度に閉鎖位置、第１開放位置、第２開放位置（全開位置）、そして閉鎖位置の順に排水栓３０の状態が繰り返し変化する。つまり、この排水栓装置は、操作ボタン７２を押し下げて排水栓３０を操作するのみで、排水口１１の開閉及び排水流量の変更を行うことができる。
したがって、この排水栓装置は排水口１１の開閉及び排水流量の変更を容易に行うことができる。
【００２６】
また、この排水栓装置は、第１開放位置及び第２開放位置に排水栓３０を保持する保持機構を備えているため、排水している際に水圧等の影響によって排水栓３０が移動して排水流量が変化してしまうことを防止することができる。
【００２７】
また、この排水栓装置は、操作部７０の操作ボタン７２を浴槽１のフランジ部１Ｂに設けて操作し易い位置に配置し、排水口１１の開閉及び排水流量の変更を遠隔操作することができる。
【００２８】
また、この排水栓装置を取り付けた浴槽１に張られた湯水に泡剤を混入して泡を生成して入浴した後、第１開放位置に排水栓３０を保持して排水すれば、排水流量を少なくすることができ、排水配管内で泡立つことが防止され、良好に排水することができる。一方、この排水栓装置を取り付けた浴槽１に張られた湯水に泡剤を混入せずに入浴した後、第２開放位置に排水栓３０を保持し、排水流量を多くして短時間で排水することができる。
【００２９】
＜実施例２＞
実施例２の排水栓装置は、排水栓１３０が水平方向にスライドして排水口１１を開閉する点が実施例１と相違する。他の構成は実施例１と同様であり、同一の構成は、同一の符号を付し、詳細な説明を省略する。
【００３０】
この排水栓装置は、排水栓１３０が排水口１１を閉鎖する閉鎖位置（図８（Ａ）参照）、排水栓１３０が排水口１１を半分開放する第１開放位置（図８（Ｂ）参照）、及び排水栓１３０が排水口１１を完全に開放する第２開放位置（全開位置）になるように排水栓１３０が排水口１１の下方をスライドする。つまり、この排水栓装置は、ワイヤ５０が排水栓１３０に連結されており、ワイヤ５０がケース７１に引き込まれた状態で排水栓１３０が第２開放位置（全開位置）になり、その状態で操作ボタン７２を押し下げると、ワイヤ５０がケース７１から外方向に送り出されて第１開放位置になり、さらにもう一度、操作ボタン７２を押し下げると、ワイヤ５０がケース７１から外方向にさらに送り出されて閉鎖位置になり、さらにもう一度、操作ボタン７２を押し下げると、ワイヤ５０がケース７１に引き込まれて閉鎖位置になる。このように、この排水栓装置は、操作ボタン７２を押し下げる度に第２開放位置（全開位置）、第１開放位置、閉鎖位置、第２開放位置（全開位置）の順に排水栓１３０の状態が繰り返し変化する。つまり、この排水栓装置は、操作ボタン７２を押し下げて排水栓１３０を操作するのみで、排水口１１の開閉及び排水流量の変更を行うことができる。
したがって、この排水栓装置は排水口１１の開閉及び排水流量の変更を容易に行うことができる。
【００３１】
＜実施例３＞
実施例３の排水栓装置は、図９〜図１１に示すように、排水口部材２１０、及び排水栓２３０を備えている。この排水栓装置は浴槽１に取り付けられる。排水口部材２１０は排水口本体２１１と鍔部２１３とを有している。排水口本体２１１は、円筒形状であり、外周面及び内周面にねじ山が刻まれている。鍔部２１３は排水口本体２１１の上端縁から外方向に広がった円環形状である。排水口部材２１０は、浴槽１の底面１Ａに貫設された開口２に排水口本体２１１を上方から挿通し、鍔部２１３を開口２の周縁部に係止し、排水口本体２１１の下端から排水口本体２１１の外周面にナットＮをねじ込んで固定される。排水口部材２１０の上側開口が排水口１１を形成している。
【００３２】
排水栓２３０は蓋部２３１と排水栓本体２３３とを有している。蓋部２３１は円盤形状である。蓋部２３１の外径は、排水口１１の内径よりも大きく、鍔部２１３の外径よりも小さい。蓋部２３１は下面の外周縁に円環形状のパッキンＰが固定されている。パッキンＰは、排水栓２３０が閉鎖位置に位置すると、排水口部材２１０の鍔部２１３の上面に当接して水密性を確保する。排水栓本体２３３は、円筒状であり、外周面に排水口本体２１１の内周面に刻まれたねじ山に螺合するねじ山が刻まれている。また、排水栓本体２３３は縦長長方形状の４個の開口２３３Ａが周方向に等間隔に貫設されている。
【００３３】
このような構成を有する排水栓装置は、排水口部材２１０への排水栓２３０のねじ込み具合によって、図９に示すように排水栓２３０を閉鎖位置にしたり、排水流量が異なる複数の開放位置（例えば、排水栓２３０が中間高さに位置して開弁した第１開放位置（図１０参照）、排水栓２３０が最も高い高さに位置して開弁した第２開放位置（全開位置）（図１１参照））にしたりすることができる。
したがって、この排水栓装置は簡易な構成で排水口１１の開閉及び排水流量の変更を容易に行うことができる。
【００３４】
また、この排水栓装置において、排水口本体２１１の内周面に刻まれたねじ山と、排水栓本体２３３の外周面に刻まれたねじ山とが螺合しているため、排水している際に水圧等の影響によって排水栓２３０が移動して排水流量が変化してしまわない。つまり、この排水栓装置は、排水口本体２１１の内周面に刻まれたねじ山と、排水栓本体２３３の外周面に刻まれたねじ山の一方が係止部であり、他方が被係止部に相当し、保持機構を構成している。
【００３５】
＜実施例４＞
実施例４の排水栓装置は、図１２〜図１５に示すように、排水口部材３１０の排水口本体３１１の内周面にねじ山が刻まれずに階段形状の溝部３１５が形成され、排水栓３３０の排水栓本体３３３の外周面にねじ山が刻まれずに外周面の下端の２か所に凸部３３５が形成されている点が実施例３と相違する。他の構成は実施例３と同様であり、同一の構成は同一の符号を付して詳細な説明を省略する。
【００３６】
この排水栓装置は、排水口部材３１０の排水口本体３１１の内周面の対向する２か所に排水口本体３１１の中心軸を対称にした２段階の階段状の溝部３１５が形成されている。つまり、溝部３１５は第１鉛直溝部３１５Ａ、第１水平溝部３１５Ｂ、第２鉛直溝部３１５Ｃ、第２水平溝部３１５Ｄ、及び第３鉛直溝部３１５Ｅから構成されている。第１鉛直溝部３１５Ａは、上端が排水口本体３１１の上端で上方に開口しており、鉛直方向に伸びている。第１水平溝部３１５Ｂは第１鉛直溝部３１５Ａの下端に連続して水平方向に伸びている。第１水平溝部３１５Ｂは排水栓本体３３３の形成された凸部３３５が係止する第１係止部である。第２鉛直溝部３１５Ｃは第１水平溝部３１５Ｂの第１鉛直溝部３１５Ａが連続している端部とは反対側の端部に連続し鉛直方向に伸びている。第２水平溝部３１５Ｄは第２鉛直溝部３１５Ｃの下端に連続して水平方向に伸びている。第２水平溝部３１５Ｄは排水栓本体３３３の形成された凸部３３５が係止する第２係止部である。第３鉛直溝部３１５Ｅは第２水平溝部３１５Ｄの第２鉛直溝部３１５Ｃが連続している端部とは反対側の端部に連続して鉛直方向に伸び、下端が排水口本体３１１の下端で下方に開口している。また、この排水栓装置は排水栓本体３３３の中心軸を対称にした外周面の下端の２か所に排水口本体３１１の溝部３１５に挿入される凸部３３５が形成されている。凸部３３５は第１水平溝部３１５Ｂ及び第２水平溝部３１５Ｄに係止する被係止部である。
【００３７】
このような構成を有する排水栓装置は、排水口本体３１１の溝部３１５の上端から排水栓本体３３３の凸部３３５を挿入し、図１３に示すように、排水栓本体３３３の凸部３３５を第３鉛直溝部３１５Ｅに位置させると、排水栓３３０を閉鎖位置にすることができる。また、図１４に示すように、排水栓本体３３３の凸部３３５を第２水平溝部３１５Ｄ（第２係止部）に位置させると、排水栓３３０が中間高さに位置して開弁した第１開放位置に保持される。また、図１５に示すように、排水栓本体３３３の凸部３３５を第１水平溝部３１５Ｂ（第１係止部）に位置させると、排水栓３３０が最も高い高さに位置して開弁した第２開放位置（全開位置）に保持される。つまり、この排水栓装置は、排水栓本体３３３の凸部３３５（被係止部）と、排水口本体３の第１水平溝部３１５Ｂ（第１係止部）及び第２水平溝部３１５Ｄ（第２係止部）とが保持機構を構成している。
【００３８】
したがって、この排水栓装置は、簡易な構成であり、排水栓本体３３３の凸部３３５を排水口本体３１１の第１水平溝部３１５Ｂ又は第２水平溝部３１５Ｄに移動させることによって、排水口１１の開閉及び排水流量の変更を容易に行うことができる。
【００３９】
本発明は上記記述及び図面によって説明した実施例１〜４に限定されるものではなく、例えば次のような実施例も本発明の技術的範囲に含まれる。
（１）実施例１及び２では、保持機構を操作部に組み込んだが、保持機構を排水栓又はワイヤの途中に組み込んでもよい。
（２）実施例１，２，４では、排水栓を第１開放位置と第２開放位置の二段階に開放したが、排水栓を排水流量が異なる三段階以上の開放位置を設けてもよい。
（３）実施例１〜４では、排水栓装置を浴槽に取り付けたが、排水栓装置を洗面器等に取り付けてもよい。
【符号の説明】
【００４０】
１０，２１０…排水口部材
１１…排水口
３０，１３０，２３０…排水栓
５０…ワイヤ（索状物）
７０…操作部
７３，７４，７５…保持機構（７３…ノック棒、７４…回転子、７５…係止部材）
３１５Ｂ，３１５Ｄ…係止部（３１５Ｂ…第１水平溝部（第１係止部）、３１５Ｄ…第２水平溝部（第２係止部））
３３５…凸部（被係止部）
【図１】
2018040176.tif 000003
【図２】
2018040176.tif 000004
【図３】
2018040176.tif 000005
【図４】
2018040176.tif 000006
【図５】
2018040176.tif 000007
【図６】
2018040176.tif 000008
【図７】
2018040176.tif 000009
【図８】
2018040176.tif 000010
【図９】
2018040176.tif 000011
【図１０】
2018040176.tif 000012
【図１１】
2018040176.tif 000013
【図１２】
2018040176.tif 000014
【図１３】
2018040176.tif 000015
【図１４】
2018040176.tif 000016
【図１５】
2018040176.tif 000017